Podtech/llm-jp-corpus-v4-ja_patent huggingface dataset:
【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
段差を有するパターンが形成された基板に塗布膜を形成する方法であって、
塗布液が塗布された基板を、当該塗布液の溶剤の揮発温度以上で且つガラス転移点より低い温度である第１の温度で加熱する第１の加熱工程と、
前記塗布液のガラス転移点以上で且つ前記塗布液の架橋開始温度より低い第２の温度で前記基板を加熱する第２の加熱工程と、
前記塗布液の架橋開始温度以上で且つ前記塗布膜の材料分解温度よりも低い第３の温度で前記基板を加熱して塗布膜を形成する第３の加熱工程と、を有し、
前記基板の加熱は、前記基板に光を照射して行うことを特徴とする、塗布膜の形成方法。
【請求項２】
前記第１の加熱工程及び前記第２の加熱工程は、前記第３の加熱工程よりも低酸素濃度雰囲気下で行うことを特徴とする、請求項１に記載の塗布膜の形成方法。
【請求項３】
前記第３の加熱工程は酸素濃度２０％以上で５０％以下の雰囲気下で行うことを特徴とする、請求項２に記載の塗布膜の形成方法。
【請求項４】
前記第１の加熱工程及び前記第２の加熱工程は酸素濃度５％以下の雰囲気下で行うことを特徴とする、請求項２または３のいずれかに記載の塗布膜の形成方法。
【請求項５】
前記基板の加熱は、所定流量で排気される処理容器内で行い、前記第３の加熱工程における排気流量は、前記第１の加熱工程及び前記第２の加熱工程における排気流量よりも大きいことを特徴とする、請求項１〜４のいずれかに記載の塗布膜の形成方法。
【請求項６】
前記第１の加熱工程における排気流量は、前記第２の加熱工程における排気流量よりも小さいことを特徴とする、請求項５に記載の塗布膜の形成方法。
【請求項７】
前記基板への光の照射は、ＬＥＤまたはランプヒータにより行われることを特徴とする、請求項１〜６のいずれかに記載の塗布膜の形成方法。
【請求項８】
前記塗布膜は、ＳＯＣ膜であることを特徴とする、請求項１〜７のいずれかに記載の塗布膜の形成方法。
【請求項９】
請求項１〜８のいずれかに記載の塗布膜の形成方法を基板処理装置によって実行させるように、当該基板処理装置を制御する制御部のコンピュータ上で動作するプログラム。
【請求項１０】
請求項５に記載のプログラムを格納した読み取り可能なコンピュータ記憶媒体。
【手続補正２】
【補正対象書類名】明細書
【補正対象項目名】００１７
【補正方法】変更
【補正の内容】
【００１７】
前記基板の加熱は、所定流量で排気される処理容器内で行い、前記第３の加熱工程における排気流量は、前記第１の加熱工程及び前記第２の加熱工程における排気流量よりも大きくてもよい。
【手続補正３】
【補正対象書類名】明細書
【補正対象項目名】００２１
【補正方法】変更
【補正の内容】
【００２１】
別な観点による本発明によれば、前記塗布膜の形成方法を基板処理装置によって実行させるように、当該基板処理装置を制御する制御部のコンピュータ上で動作するプログラムが提供される。
【手続補正４】
【補正対象書類名】明細書
【補正対象項目名】００２６
【補正方法】変更
【補正の内容】
【００２６】
基板処理装置１は、ウェハＷを載置して冷却する冷却板１０とウェハＷを加熱する熱源１１が設けられた処理容器１２を有している。処理容器１２は、略円筒形状の側壁１２ａ、側壁１２ａの上端を塞ぐ天板１２ｂ、及び側壁１２ａの下端を塞ぐ底板１２ｃを有している。側壁１２ａと天板１２ｂとの間、及び側壁１２ａと底板１２ｃとの間には、それぞれ図示しないシール部材が設けられ、処理容器１２は気密に形成されている。
【手続補正５】
【補正対象書類名】明細書
【補正対象項目名】００３３
【補正方法】変更
【補正の内容】
【００３３】
処理容器１２には、当該処理容器１２内に、ガス供給機構５１から所定の処理ガスを導入する処理ガス供給管５２と、排気機構５３に接続された排気管５４がそれぞれ天板１２ｂを貫通して設けられている。
【手続補正６】
【補正対象書類名】明細書
【補正対象項目名】００３６
【補正方法】変更
【補正の内容】
【００３６】
以上の基板処理装置１には、図１に示すように制御部１５０が設けられている。制御部１５０は、例えばコンピュータであり、プログラム格納部（図示せず）を有している。プログラム格納部には、基板処理装置１におけるウェハＷの処理を制御するプログラムが格納されている。また、プログラム格納部には、上述の電源４０や昇降機構２１の動作を制御して、基板処理装置１におけるウェハＷの加熱処理を実現させるためのプログラムも格納されている。なお、前記プログラムは、例えばコンピュータ読み取り可能なハードディスク（ＨＤ）、フレキシブルディスク（ＦＤ）、コンパクトディスク（ＣＤ）、マグネットオプティカルデスク（ＭＯ）、メモリーカードなどのコンピュータに読み取り可能な記憶媒体に記録されていたものであって、その記憶媒体から制御部１５０にインストールされたものであってもよい。
【手続補正７】
【補正対象書類名】明細書
【補正対象項目名】００３７
【補正方法】変更
【補正の内容】
【００３７】
次に、以上のように構成された基板処理装置１を用いて行われるウェハ処理、具体的には塗布液が塗布されたウェハＷを加熱処理して塗布膜を形成する方法について、図４を用いて説明する。図４は、基板処理装置１における加熱処理条件を示すタイムチャートである。図４の横軸は時間、縦軸は上から順に、電源４０の出力、ウェハＷの温度、処理容器１２内の排気流量及び処理容器１２内の酸素濃度を表している。
【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
撮像により得られた画像データにおいて追尾被写体を設定する追尾被写体設定部と、
前記設定された追尾被写体を、前記画像データの輝度、前記画像データの色、顔検出結果、焦点検出結果の少なくとも何れかを用いて探索する追尾被写体探索部と、
前記追尾被写体が遮蔽されていることを検知する遮蔽検知部と、
前記追尾被写体が遮蔽されていることが検知された場合に、前記追尾被写体を遮蔽している遮蔽エリアを前記画像データから検出する遮蔽エリア検出部と、
を具備し、
前記追尾被写体探索部は、前記追尾被写体が遮蔽されていることが検知された場合に、前記遮蔽エリアの周辺に限定して探索エリアを設定し、設定した探索エリアにおいて前記焦点検出結果とは異なる情報を用いて前記追尾被写体を探索することを特徴とする追尾装置。
【請求項２】
前記追尾装置の動き量を検出する動き検出部をさらに具備し、
前記遮蔽エリア検出部は、前記動き量に応じて前記遮蔽エリアを検出することを特徴とする請求項１に記載の追尾装置。
【請求項３】
撮像画面内の複数の焦点検出エリアにおける焦点状態を検出する焦点検出情報取得部をさらに具備し、
前記遮蔽エリア検出部は、前記追尾被写体の焦点状態とそれぞれの前記焦点検出エリアの焦点状態との相違から前記遮蔽エリアを検出することを特徴とする請求項１又は２に記載の追尾装置。
【請求項４】
前記遮蔽エリア検出部は、前記追尾被写体よりも近距離に被写体が存在するエリアを前記遮蔽エリアとして検出することを特徴する請求項３に記載の追尾装置。
【請求項５】
前記焦点状態は、前記追尾被写体に対する焦点ずれ量を含むことを特徴とする請求項３に記載の追尾装置。
【請求項６】
前記探索エリアは、前記撮像画面内の前記焦点検出エリアと異なるエリアも含むことを特徴とする請求項３に記載の追尾装置。
【請求項７】
撮像により得られた画像データにおいて追尾被写体を設定し、
前記設定された追尾被写体を、前記画像データの輝度、前記画像データの色、顔検出結果、焦点検出結果の少なくとも何れかを用いて探索し、
前記追尾被写体が遮蔽されていることを検知し、
前記追尾被写体が遮蔽されていることが検知された場合に、前記追尾被写体を遮蔽している遮蔽エリアを前記画像データから検出し、
前記追尾被写体が遮蔽されていることが検知された場合に、前記遮蔽エリアの周辺に限定して探索エリアを設定し、設定した探索エリアにおいて前記焦点検出結果とは異なる情報を用いて前記追尾被写体を探索する、
ことを特徴とする追尾方法。
【請求項８】
撮像により得られた画像データにおいて追尾被写体を設定する機能と、
前記設定された追尾被写体を、前記画像データの輝度、前記画像データの色、顔検出結果、焦点検出結果の少なくとも何れかを用いて探索する機能と、
前記追尾被写体が遮蔽されていることを検知する機能と、
前記追尾被写体が遮蔽されていることが検知された場合に、前記追尾被写体を遮蔽している遮蔽エリアを前記画像データから検出する機能と、
前記追尾被写体が遮蔽されていることが検知された場合に、前記遮蔽エリアの周辺に限定して探索エリアを設定し、設定した探索エリアにおいて前記焦点検出結果とは異なる情報を用いて前記追尾被写体を探索する機能と、
をコンピュータに実現させるための追尾プログラム。
【手続補正２】
【補正対象書類名】明細書
【補正対象項目名】０００６
【補正方法】変更
【補正の内容】
【０００６】
前記の目的を達成するために、本発明の第１の態様の追尾装置は、撮像により得られた画像データにおいて追尾被写体を設定する追尾被写体設定部と、前記設定された追尾被写体を、前記画像データの輝度、前記画像データの色、顔検出結果、焦点検出結果の少なくとも何れかを用いて探索する追尾被写体探索部と、前記追尾被写体が遮蔽されていることを検知する遮蔽検知部と、前記追尾被写体が遮蔽されていることが検知された場合に、前記追尾被写体を遮蔽している遮蔽エリアを前記画像データから検出する遮蔽エリア検出部とを具備し、前記追尾被写体探索部は、前記追尾被写体が遮蔽されていることが検知された場合に、前記遮蔽エリアの周辺に限定して探索エリアを設定し、設定した探索エリアにおいて前記焦点検出結果とは異なる情報を用いて前記追尾被写体を探索することを特徴とする。
【手続補正３】
【補正対象書類名】明細書
【補正対象項目名】０００７
【補正方法】変更
【補正の内容】
【０００７】
前記の目的を達成するために、本発明の第２の態様の追尾方法は、撮像により得られた画像データにおいて追尾被写体を設定し、前記設定された追尾被写体を、前記画像データの輝度、前記画像データの色、顔検出結果、焦点検出結果の少なくとも何れかを用いて探索し、前記追尾被写体が遮蔽されていることを検知し、前記追尾被写体が遮蔽されていることが検知された場合に、前記追尾被写体を遮蔽している遮蔽エリアを前記画像データから検出し、前記追尾被写体が遮蔽されていることが検知された場合に、前記遮蔽エリアの周辺に限定して探索エリアを設定し、設定した探索エリアにおいて前記焦点検出結果とは異なる情報を用いて前記追尾被写体を探索することを特徴とする。
【手続補正４】
【補正対象書類名】明細書
【補正対象項目名】０００８
【補正方法】変更
【補正の内容】
【０００８】
前記の目的を達成するために、本発明の第３の態様の追尾プログラムは、撮像により得られた画像データにおいて追尾被写体を設定する機能と、前記設定された追尾被写体を、前記画像データの輝度、前記画像データの色、顔検出結果、焦点検出結果の少なくとも何れかを用いて探索する機能と、前記追尾被写体が遮蔽されていることを検知する機能と、前記追尾被写体が遮蔽されていることが検知された場合に、前記追尾被写体を遮蔽している遮蔽エリアを前記画像データから検出する機能と、前記追尾被写体が遮蔽されていることが検知された場合に、前記遮蔽エリアの周辺に限定して探索エリアを設定し、設定した探索エリアにおいて前記焦点検出結果とは異なる情報を用いて前記追尾被写体を探索する機能とをコンピュータに実現させる。
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
投影システムを使用してパターニングデバイスから基板上にパターン化したビームを投影し、液体供給システムを使用して前記投影システムと前記基板との間の空間に液体を供給しかつ満たすリソグラフィ投影装置であって、
前記投影システムの下方に配置され、前記基板を支持する基板テーブルと、
前記投影システムの最終要素の下方まで延び、前記空間に前記液体を少なくとも部分的に閉じ込めるシール部材と、
前記基板テーブルに対向する除去開口であって、前記液体を二相流で除去するように構成された多孔性部材を備える除去開口と、を備えるリソグラフィ投影装置。
【請求項２】
前記シール部材は、前記投影システムの下方で前記空間に対向する液体供給開口を備える、請求項１に記載のリソグラフィ投影装置。
【請求項３】
前記液体供給開口は前記シール部材内にある、請求項２に記載のリソグラフィ投影装置。
【請求項４】
前記除去開口は、前記パターン化したビームの経路の周囲に長方形の形状を有する、請求項１〜３のいずれか１項に記載のリソグラフィ投影装置。
【請求項５】
前記除去開口は、前記液体を二相流で除去するように構成されたチャンバ部材に接続される、請求項１〜４のいずれか１項に記載のリソグラフィ投影装置。
【請求項６】
前記多孔性部材の少なくとも一部が少なくとも部分的に傾斜している、請求項１〜５のいずれか１項に記載のリソグラフィ投影装置。
【請求項７】
前記シール部材は、前記基板の対向面とともに通路を形成して前記シール部材の位置の変動を低減するように構成された面を備える、請求項１〜６のいずれか１項に記載のリソグラフィ投影装置。
【請求項８】
前記空間から前記シール部材の上面上に溢れる液体を集めるオーバーフロードレンをさらに備える、請求項１〜７のいずれか１項に記載のリソグラフィ投影装置。
【請求項９】
前記シール部材は、前記投影システムの前記最終要素の底部よりも上に延びる、請求項１〜８のいずれか１項に記載のリソグラフィ投影装置。
【請求項１０】
前記シール部材は、その上端に、前記投影システムの形状に密接に一致する内周縁を有する、請求項１〜９のいずれか１項に記載のリソグラフィ投影装置。
【請求項１１】
投影システムを使用し、パターニングデバイスから液体を介して基板上にパターン化したビームを投影することであって、前記基板は基板テーブルに支持され、前記投影システムは前記基板の上方に配置され、前記液体は、前記投影システムと前記基板、前記基板テーブル、又は、前記基板及び前記基板テーブルの両方との間の空間にある、投影することと、
液体供給システムを使用し、前記投影システムの最終要素の下方に伸長するシール部材内の前記空間に液体を供給しかつ前記空間を液体で満たすことと、
前記空間に前記液体を閉じ込めることと、
除去開口を介して前記液体を二相流で除去することと、を含み、
前記除去開口が前記基板テーブルに対向し、前記除去開口が、前記液体を二相流で除去するように構成された多孔性部材を備える、デバイス製造方法。
【請求項１２】
前記除去開口は、前記液体を二相流で除去するように構成されたチャンバ部材に接続される、請求項１１に記載のデバイス製造方法。
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
対象となる胞子に対して５℃以上７０℃以下の温度下で、１秒間以上６０分間以下、１０ＭＰａ以上４００ＭＰａ以下で加圧する加圧処理工程と、
前記胞子と、前記胞子に導入するマーカーとなる物質とを混合する物質混合工程と、
マーカーとなる前記物質が導入された胞子を大気圧下、５℃以上７０℃以下の温度下で、１分間以上６０分間以下保持する大気圧処理工程と、
マーカーとなる前記物質を検出することによって、マーカーとなる前記物質が導入された胞子を検出する工程と、
を備え、
前記物質混合工程は、前記加圧処理工程の前であっても後であってもよい、発芽活性のある胞子の測定方法。
【請求項２】
発芽誘導物質の存在下で、前記加圧処理工程を行う、請求項１に記載の測定方法。
【請求項３】
前記発芽誘導物質が、アミノ酸、糖又は金属イオンである、請求項２に記載の測定方法。
【請求項４】
前記発芽誘導物質が、アミノ酸である、請求項２又は３に記載の測定方法。
【請求項５】
マーカーとなる前記物質が、色素、タンパク質、オリゴヌクレオチド、プラスミド、放射性同位体を含む化合物、又は、イオンである、請求項１〜４のいずれか一項に記載の測定方法。
【請求項６】
マーカーとなる前記物質が、色素である、請求項１〜５のいずれか一項に記載の測定方法。
【請求項７】
前記物質混合工程が、加圧処理工程の前に行われる、請求項１〜６のいずれか一項に記載の測定方法。
【手続補正２】
【補正対象書類名】明細書
【補正対象項目名】発明の名称
【補正方法】変更
【補正の内容】
【発明の名称】胞子の測定方法
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて識別情報を変動表示する変動表示ゲームを実行する遊技制御装置と、前記変動表示ゲームの演出を表示する表示装置と、を備え、
前記変動表示ゲームの結果が所定の結果態様となった場合に、遊技者にとって有利な特別遊技状態を発生可能な遊技機において、
前記遊技制御装置から送信されるコマンドに基づき、前記表示装置にて演出を行う演出制御装置を備え、
前記演出制御装置は、
前記遊技制御装置から前記特別遊技状態中の演出に関するコマンドを受信した場合は、該コマンドを受信した時点で自身が記憶している前記変動表示ゲームの結果態様に対応する情報を、前記表示装置に表示するための情報として設定することを特徴とする遊技機。
【手続補正２】
【補正対象書類名】明細書
【補正対象項目名】０００４
【補正方法】変更
【補正の内容】
【０００４】
しかしながら、従来の遊技機は遊技の興趣向上に限界があるという課題があった。
【手続補正３】
【補正対象書類名】明細書
【補正対象項目名】０００５
【補正方法】変更
【補正の内容】
【０００５】
そこで本発明は、遊技の興趣向上が可能となる遊技機を提供することを目的とする。
【手続補正４】
【補正対象書類名】明細書
【補正対象項目名】０００６
【補正方法】変更
【補正の内容】
【０００６】
請求項１記載の発明は、所定の始動条件の成立に基づいて識別情報を変動表示する変動表示ゲームを実行する遊技制御装置と、前記変動表示ゲームの演出を表示する表示装置と、を備え、
前記変動表示ゲームの結果が所定の結果態様となった場合に、遊技者にとって有利な特別遊技状態を発生可能な遊技機において、
前記遊技制御装置から送信されるコマンドに基づき、前記表示装置にて演出を行う演出制御装置を備え、
前記演出制御装置は、
前記遊技制御装置から前記特別遊技状態中の演出に関するコマンドを受信した場合は、該コマンドを受信した時点で自身が記憶している前記変動表示ゲームの結果態様に対応する情報を、前記表示装置に表示するための情報として設定することを特徴とする。
【手続補正５】
【補正対象書類名】明細書
【補正対象項目名】０００７
【補正方法】変更
【補正の内容】
【０００７】
本発明によれば、遊技の興趣向上が可能となる。
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
予め互いに関連付けられた複数のユーザ端末と、当該複数のユーザ端末のそれぞれと通信可能な複数のゲーム管理装置のそれぞれとの間の通信快適度を示す値の測定結果を取得する取得部と、
前記取得部が取得した前記測定結果に基づいて、前記ゲーム管理装置毎に、当該ゲーム管理装置と前記複数のユーザ端末との間の前記測定結果に前記測定結果の値に応じた重み付けを行った合計値を算出し、算出した合計値の比較結果に基づいて、前記複数のゲーム管理装置のうち、前記複数のユーザ端末が通信すべき前記ゲーム管理装置を判定する通信先判定部と、
を備えることを特徴とする通信先判定装置。
【請求項２】
前記通信快適度は、前記ユーザ端末が、所定量のパケットを前記ゲーム管理装置に送信してから応答を受信するまでの所要時間であり、
前記通信先判定部は、
複数の前記ゲーム管理装置毎に、当該ゲーム管理装置に対する前記複数のユーザ端末の前記所要時間に前記所要時間の値に応じた重み付けを行った合計値を算出し、算出した合計値が最も小さい前記ゲーム管理装置を、前記複数のユーザ端末が通信すべき前記ゲーム管理装置と判定する
ことを特徴とする請求項１に記載の通信先判定装置。
【請求項３】
前記通信先判定部は、
前記ゲーム管理装置毎に、当該ゲーム管理装置に対する前記複数のユーザ端末の前記所要時間を二乗した値の合計値を算出し、算出した合計値が最も小さい前記ゲーム管理装置を、前記複数のユーザ端末が通信すべき前記ゲーム管理装置と判定する
ことを特徴とする請求項２に記載の通信先判定装置。
【請求項４】
予め互いに関連付けられた複数のユーザ端末と、当該複数のユーザ端末のそれぞれと通信可能な複数のゲーム管理装置とを有するゲームシステムであって、
前記複数のユーザ端末のそれぞれと、前記複数のゲーム管理装置のそれぞれとの間の通信快適度を示す値を測定する測定部と、
前記測定部によって測定された測定結果に基づいて、前記ゲーム管理装置毎に、当該ゲーム管理装置と前記複数のユーザ端末との間の前記測定結果に前記測定結果の値に応じた重み付けを行った合計値を算出し、算出した合計値の比較結果に基づいて、前記複数のゲーム管理装置のうち、前記複数のユーザ端末が通信すべき前記ゲーム管理装置を判定する通信先判定部と、
を備えることを特徴とするゲームシステム。
【請求項５】
予め互いに関連付けられた複数のユーザ端末と、当該複数のユーザ端末のそれぞれと通信可能な複数のゲーム管理装置のそれぞれとの間の通信快適度を示す値の測定結果を取得するステップと、
前記測定結果に基づいて、前記ゲーム管理装置毎に、当該ゲーム管理装置と前記複数のユーザ端末との間の前記測定結果に前記測定結果の値に応じた重み付けを行った合計値を算出し、算出した合計値の比較結果に基づいて、前記複数のゲーム管理装置のうち、前記複数のユーザ端末が通信すべき前記ゲーム管理装置を判定するステップと、
を含むことを特徴とする通信先判定方法。
【請求項６】
コンピュータに、
予め互いに関連付けられた複数のユーザ端末と、当該複数のユーザ端末のそれぞれと通信可能な複数のゲーム管理装置のそれぞれとの間の通信快適度を示す値の測定結果を取得するステップと、
前記測定結果に基づいて、前記ゲーム管理装置毎に、当該ゲーム管理装置と前記複数のユーザ端末との間の前記測定結果に前記測定結果の値に応じた重み付けを行った合計値を算出し、算出した合計値の比較結果に基づいて、前記複数のゲーム管理装置のうち、前記複数のユーザ端末が通信すべき前記ゲーム管理装置を判定するステップと、
を実行させる通信先判定プログラム。
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
駆動電流値を第１の電流値に設定された前記ファンモーターの駆動で第１の吸引力が生じる吸引プラテンを経由させて記録媒体を搬送経路の第１の方向に搬送し、
前記ファンモーターの前記駆動電流値を前記第１の電流値から、前記第１の電流値よりも低い第２の電流値に変更された前記ファンモーターを予め定められた時間駆動させた後、
前記ファンモーターの前記駆動電流値を前記第１の電流値よりも低く、前記第２の電流値よりも高い第３の電流値に変更された前記ファンモーターの駆動で前記第１の吸引力よりも小さい第２の吸引力が生じる前記吸引プラテンを経由させて前記記録媒体を前記搬送経路の前記第１の方向と逆方向の第２の方向に搬送することを特徴とするプリンターの制御方法。
【請求項２】
前記第２の電流値は０である請求項１に記載のプリンターの制御方法。
【請求項３】
前記ファンモーターの前記駆動電流値を前記第２の電流値に変更された前記ファンモーターを駆動させた後、前記記録媒体を切断する請求項１または２に記載のプリンターの制御方法。
【請求項４】
前記搬送経路の前記第１の方向に前記記録媒体を搬送しているときに、前記吸引プラテンと対向する印刷位置にある印刷ヘッドで前記記録媒体に印刷し、
前記印刷ヘッドの前記印刷位置とは異なる退避位置への移動を開始した後、
前記ファンモーターの前記駆動電流値を前記第２の電流値に変更された前記ファンモーターを駆動させる請求項３に記載のプリンターの制御方法。
【請求項５】
前記ファンモーターの駆動電流値を前記第３の電流値から前記第１の電流値に変更された前記ファンモーターを駆動させた後、
前記印刷ヘッドの前記退避位置から前記印刷位置への移動を開始させる請求項４に記載のプリンターの制御方法。
【請求項６】
記録媒体に印刷する印刷ヘッドと、
駆動電流値の設定に応じて駆動するファンモーターと、
前記ファンモーターの駆動で吸引力を発生させる吸引ファンと、
前記印刷ヘッドと対向し、前記吸引ファンの吸引力で前記記録媒体を吸引する吸引プラテンと、
前記吸引プラテンを経由する搬送経路の第１の方向に前記記録媒体を搬送する第１搬送モーターと、
前記第１搬送モーターよりも小さい搬送力で前記記録媒体を前記搬送経路の前記第１の方向と逆方向の第２の方向に搬送する第２搬送モーターと、
前記記録媒体を前記搬送経路の前記第１の方向に搬送するときに前記ファンモーターの前記駆動電流値を第１の電流値に設定し、前記記録媒体の搬送方向を前記搬送経路の前記第１の方向から前記第２の方向に変更するときに、前記ファンモーターの駆動電流値を前記第１の電流値から当該第１の電流値よりも低い第２の電流値に変更して予め設定された時間駆動した後、前記第１の電流値よりも低く前記第２の電流値よりも高い第３の電流値に変更し、前記第３の電流値に設定された前記ファンモーターの駆動で前記記録媒体を前記搬送経路の前記第２の方向に搬送する制御部と、
を有することを特徴とするプリンター。
【請求項７】
前記搬送経路の前記第１の方向に搬送された前記記録媒体を切断する切断部を有し、
前記制御部は、前記ファンモーターの前記駆動電流値を前記第１の電流値から前記第２の電流値に変更した後、前記切断部で前記記録媒体を切断させる請求項６に記載のプリンター。
【請求項８】
前記印刷ヘッドを前記吸引プラテンと対向する印刷位置から前記印刷位置とは異なる退避位置に移動させる印刷ヘッド駆動部を有し、
前記制御部は、前記印刷ヘッドの前記印刷位置から前記退避位置への移動を開始した後、前記ファンモーターの前記駆動電流値を前記第１の電流値から前記第２の電流値に変更する請求項６に記載のプリンター。
【手続補正２】
【補正対象書類名】明細書
【補正対象項目名】発明の名称
【補正方法】変更
【補正の内容】
【発明の名称】プリンターの制御方法およびプリンター
【手続補正３】
【補正対象書類名】明細書
【補正対象項目名】０００９
【補正方法】変更
【補正の内容】
【０００９】
上記の課題を解決するために、本発明のプリンターの制御方法は、
駆動電流値を第１の電流値に設定された前記ファンモーターの駆動で第１の吸引力が生じる吸引プラテンを経由させて記録媒体を搬送経路の第１の方向に搬送し、
前記ファンモーターの前記駆動電流値を前記第１の電流値から、前記第１の電流値よりも低い第２の電流値に変更された前記ファンモーターを予め定められた時間駆動させた後、
前記ファンモーターの前記駆動電流値を前記第１の電流値よりも低く、前記第２の電流値よりも高い第３の電流値に変更された前記ファンモーターの駆動で前記第１の吸引力よりも小さい第２の吸引力が生じる前記吸引プラテンを経由させて前記記録媒体を前記搬送経路の前記第１の方向と逆方向の第２の方向に搬送することを特徴としている。
【手続補正４】
【補正対象書類名】明細書
【補正対象項目名】００１２
【補正方法】変更
【補正の内容】
【００１２】
また、本発明において、前記搬送経路の前記第１の方向に前記記録媒体を搬送し、前記ファンモーターの前記駆動電流値を前記第２の電流値に変更された前記ファンモーターを駆動させた後、前記記録媒体を切断することが望ましい。このように、切断動作に先立って駆動電流値を変更することにより、切断後に速やかに逆方向（第２の方向）への搬送を開始することができる。よって、オートカッターによる切断動作およびその後の記録媒体の頭出し動作を行う場合のスループットの低下を更に抑制できる。
【手続補正５】
【補正対象書類名】明細書
【補正対象項目名】００１３
【補正方法】変更
【補正の内容】
【００１３】
この場合に、前記搬送経路の前記第１の方向に前記記録媒体を搬送しているときに、前記吸引プラテンと対向する印刷位置にある印刷ヘッドで前記記録媒体に印刷し、前記印刷ヘッドの前記印刷位置とは異なる退避位置への移動を開始した後、前記ファンモーターの前記駆動電流値を前記第２の電流値に変更された前記ファンモーターを駆動させることが望ましい。このようにすると、印刷ヘッドが吸引プラテン上から退避する前に記録媒体が吸引力の低下によって浮き上がるおそれを少なくすることができ、印刷ヘッドとの接触によって記録媒体が汚れるおそれを少なくすることができる。
【手続補正６】
【補正対象書類名】明細書
【補正対象項目名】００１４
【補正方法】変更
【補正の内容】
【００１４】
更に、前記ファンモーターの駆動電流値を前記第３の電流値から前記第１の電流値に変更された前記ファンモーターを駆動させた後、前記印刷ヘッドの前記退避位置から前記印刷位置への移動を開始させることが望ましい。このようにすると、印刷ヘッドが吸引プラテン上に復帰し始める前に吸引力を強める処理を開始できるため、印刷ヘッドとの接触によって記録媒体が汚れるおそれを少なくすることができる。
【手続補正書】
【提出日】平成27年4月17日(2015.4.17)
【手続補正１】
【補正対象書類名】明細書
【補正対象項目名】０００９
【補正方法】変更
【補正の内容】
【０００９】
請求項１記載の発明は、複数のノズルを有するノズルプレートと、隔壁により区切られた複数の個別液室と、前記個別液室の一つの壁を構成する振動板及びこれと一体的に形成された下部電極及び圧電体及び上部電極で構成される複数の圧電素子が設けられる個別液室基板と、前記個別液室基板の前記圧電素子が設けられる側の面に配設された複数の温度検出手段とを有する液滴吐出ヘッドにおいて、前記温度検出手段は、少なくともその一部が前記複数の圧電素子間に配設されていることを特徴とする。
【手続補正２】
【補正対象書類名】特許請求の範囲
【補正対象項目名】全文
【補正方法】変更
【補正の内容】
【特許請求の範囲】
【請求項１】
複数のノズルを有するノズルプレートと、隔壁により区切られた複数の個別液室と、前記個別液室の一つの壁を構成する振動板及びこれと一体的に形成された下部電極及び圧電体及び上部電極で構成される複数の圧電素子が設けられる個別液室基板と、前記個別液室基板の前記圧電素子が設けられる側の面に配設された複数の温度検出手段とを有する液滴吐出ヘッドにおいて、
前記温度検出手段は、少なくともその一部が前記複数の圧電素子間に配設されていることを特徴とする液滴吐出ヘッド。
【請求項２】
請求項１記載の液滴吐出ヘッドにおいて、
前記複数の温度検出手段は少なくとも２つが互いに接続していることを特徴とする液滴吐出ヘッド。
【請求項３】
請求項１または２記載の液滴吐出ヘッドにおいて、
前記複数の温度検出手段の少なくとも一部は前記個別液室を形成する隔壁上に設けられていることを特徴とする液滴吐出ヘッド。
【請求項４】
請求項１ないし３の何れか一つに記載の液滴吐出ヘッドにおいて、
前記ノズルプレートと対向する保持基板を有し、前記温度検出手段はその一部を前記保持基板に接合されていることを特徴とする液滴吐出ヘッド。
【請求項５】
請求項１ないし４の何れか一つに記載の液滴吐出ヘッドにおいて、
前記温度検出手段は前記下部電極または前記上部電極と同時に形成されることを特徴とする液滴吐出ヘッド。
【請求項６】
請求項１ないし５の何れか一つに記載の液滴吐出ヘッドを有し、前記液滴吐出ヘッドから吐出した液滴を被着媒体上に着弾させるインクジェット記録装置において、
前記液滴吐出ヘッドは前記圧電素子に電圧を印加する駆動ＩＣと該駆動ＩＣへの電圧を制御する駆動電圧制御部とを有し、前記温度検出手段の検出結果に基づいて前記駆動電圧制御部から所定の電圧を前記駆動ＩＣに供給し、前記駆動ＩＣから供給された電圧によって前記圧電素子を駆動させ、前記個別液室に圧力を発生させて前記ノズルより液滴を吐出することを特徴とするインクジェット記録装置。
【請求項７】
請求項６記載のインクジェット記録装置を備え、前記液滴として画像形成用インクが前記被着媒体として記録媒体がそれぞれ用いられることを特徴とする画像形成装置。
【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
画像データのカラー印刷において、前記画像データにおけるカラー量に応じて課金額が異なる画像形成装置において、
画像データにおけるカラー量を判定する第一の判定手段と、
前記第一の判定手段によって判定されたカラー量に応じて課金額を決定する決定手段と、
投入代金が前記決定手段によって決定された課金額以上か否かを判定する第二の判定手段と、
前記第二の判定手段によって前記投入代金が前記課金額以上の料金であると判定された場合、前記画像データに基づく印刷処理を実行し、前記第二の判定手段によって前記投入代金が前記課金額よりも少ない料金であると判定された場合、前記画像データに基づく印刷処理を中止するように制御する制御手段と
を有することを特徴とする画像形成装置。
【請求項２】
さらに、前記第二の判定手段によって前記投入代金が前記課金額よりも少ない料金であると判定された場合、投入された代金が不足していることを表示する表示手段を有することを特徴とする請求項１に記載の画像形成装置。
【請求項３】
画像データのカラー印刷において、前記画像データにおけるカラー量に応じて課金額が異なる画像形成装置において、
画像データにおけるカラー量を判定する判定手段と、
前記判定手段によって判定されたカラー量に応じて課金額を決定する決定手段と、
前記判定手段による判定処理を行う前に投入された代金が、前記課金額以上の場合、前記画像データに基づく印刷処理を行なう処理手段と
を有することを特徴とする画像形成装置。
【請求項４】
前記処理手段は、前記判定手段による判定処理を行う前に投入された代金が、前記課金額より小さい場合、前記画像データに基づく印刷処理を中止することを特徴とする請求項３に記載の画像形成装置。
【請求項５】
さらに、前記判定手段による判定処理を行う前に投入された代金が、前記課金額より小さい場合、投入された代金が不足していることを表示する表示手段を有することを特徴とする請求項４に記載の画像形成装置。
【請求項６】
前記判定手段は、前記画像データの全画素に占めるカラー画素の割合を、前記画像データにおけるカラー量として判定することを特徴とする請求項３乃至５のいずれか一項に記載の画像形成装置。
【請求項７】
画像データのカラー印刷において、前記画像データにおけるカラー量に応じて課金額が異なる画像形成装置における課金方法であって、
画像データにおけるカラー量を判定する第一の判定ステップと、
前記第一の判定ステップにおいて判定されたカラー量に応じて課金額を決定する決定ステップと、
投入代金が前記決定ステップにおいて決定された課金額以上か否かを判定する第二の判定ステップと、
前記第二の判定ステップにおいて前記投入代金が前記課金額以上の料金であると判定された場合、前記画像データに基づく印刷処理を実行し、前記第二の判定ステップにおいて前記投入代金が前記課金額よりも少ない料金であると判定された場合、前記画像データに基づく印刷処理を中止するように制御する制御ステップと
を含むことを特徴とする課金方法。
【請求項８】
画像データのカラー印刷において、前記画像データにおけるカラー量に応じて課金額が異なる画像形成装置における課金方法であって、
画像データにおけるカラー量を判定する判定ステップと、
前記判定ステップにおいて判定されたカラー量に応じて課金額を決定する決定ステップと、
前記判定ステップにおける判定処理を行う前に投入された代金が、前記課金額以上の場合、前記画像データに基づく印刷処理を行なう処理ステップと
を含むことを特徴とする課金方法。
【請求項９】
画像データのカラー印刷において、前記画像データにおけるカラー量に応じて課金額が異なる画像形成装置のコンピュータを、
画像データにおけるカラー量を判定する第一の判定手段と、
前記第一の判定手段によって判定されたカラー量に応じて課金額を決定する決定手段と、
投入代金が前記決定手段によって決定された課金額以上か否かを判定する第二の判定手段と、
前記第二の判定手段によって前記投入代金が前記課金額以上の料金であると判定された場合、前記画像データに基づく印刷処理を実行し、前記第二の判定手段によって前記投入代金が前記課金額よりも少ない料金であると判定された場合、前記画像データに基づく印刷処理を中止するように制御する制御手段と
して機能させるためのプログラム。
【請求項１０】
画像データのカラー印刷において、前記画像データにおけるカラー量に応じて課金額が異なる画像形成装置のコンピュータを、
画像データにおけるカラー量を判定する判定手段と、
前記判定手段によって判定されたカラー量に応じて課金額を決定する決定手段と、
前記判定手段による判定処理を行う前に投入された代金が、前記課金額以上の場合、前記画像データに基づく印刷処理を行なう処理手段と
として機能させるためのプログラム。
【手続補正２】
【補正対象書類名】明細書
【補正対象項目名】０００８
【補正方法】変更
【補正の内容】
【０００８】
そこで、本発明は、画像データのカラー印刷において、前記画像データにおけるカラー量に応じて課金額が異なる画像形成装置において、画像データにおけるカラー量を判定する第一の判定手段と、前記第一の判定手段によって判定されたカラー量に応じて課金額を決定する決定手段と、投入代金が前記決定手段によって決定された課金額以上か否かを判定する第二の判定手段と、前記第二の判定手段によって前記投入代金が前記課金額以上の料金であると判定された場合、前記画像データに基づく印刷処理を実行し、前記第二の判定手段によって前記投入代金が前記課金額よりも少ない料金であると判定された場合、前記画像データに基づく印刷処理を中止するように制御する制御手段とを有する。
【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
シート状のセパレータに所定間隔毎にラベルが配された連続シートに対して記録処理を行う記録装置であって、
記録処理が行われた前記連続シートの隣接する前記ラベル間の前記セパレータを切断する切断手段と、
前記切断手段による切断位置として第１の切断位置と前記第１の切断位置とは異なる第２の切断位置とを設定可能な設定手段と、
を有することを特徴とする記録装置。
【請求項２】
前記設定手段は、
前記ラベルが所定枚数か否かに応じて前記第１の切断位置で切断するか前記第２の切断位置で切断するかを設定可能であることを特徴とする請求項１に記載の記録装置。
【請求項３】
前記ラベルに内蔵されたＲＦＩＤタグに情報を書き込む書込手段と前記書き込み手段による情報の書き込みのエラーを検出するエラー検出手段とを更に備え、
前記設定手段は前記エラー検出手段の検出結果に基づいて前記第１の切断位置で切断するか前記第２の切断位置で切断するかを設定可能であることを特徴とする請求項１に記載の記録装置。
【請求項４】
前記ラベルに記録された画像の記録不良を検知する検知手段を更に備え、
前記設定手段は前記検知手段の検知結果に基づいて前記第１の切断位置で切断するか前記第２の切断位置で切断するかを設定可能であることを特徴とする請求項１に記載の記録装置。
【請求項５】
シート状のセパレータに所定間隔毎にラベルが配された連続シートに対して記録処理を行う記録手段と、記録処理が行われた前記連続シートの隣接する前記ラベル間のセパレータを切断する切断手段と、を備える記録装置の制御方法であって、
前記切断手段による切断位置として第１の切断位置と前記第１の切断位置とは異なる第２の切断位置とを設定可能な設定工程を備えることを特徴とする記録装置の制御方法。
【請求項６】
コンピュータを、請求項１乃至４のいずれか１項に記載の記録装置の各手段として機能させるためのプログラム。
【手続補正２】
【補正対象書類名】明細書
【補正対象項目名】０００１
【補正方法】変更
【補正の内容】
【０００１】
本発明は、シート状のセパレータに所定間隔毎にラベルが配された連続シートに対して記録処理を行う記録装置及びその制御方法に関し、特に、記録装置によるセパレータの切断処理に関するものである。
【手続補正３】
【補正対象書類名】明細書
【補正対象項目名】００１０
【補正方法】変更
【補正の内容】
【００１０】
本発明は上記課題に鑑みてなされたものであり、ラベルが配された連続シートを切断して排出する記録装置において、ラベルを無駄に消費することなく、特定のラベルをユーザが識別して区分けできるように構成することを目的とする。
【手続補正４】
【補正対象書類名】明細書
【補正対象項目名】００１１
【補正方法】変更
【補正の内容】
【００１１】
上記の目的を達成するために、本発明に係る記録装置は、例えば、以下のような構成を備える。即ち、
シート状のセパレータに所定間隔毎にラベルが配された連続シートに対して記録処理を行う記録装置であって、
記録処理が行われた前記連続シートの隣接する前記ラベル間の前記セパレータを切断する切断手段と、
前記切断手段による切断位置として第１の切断位置と前記第１の切断位置とは異なる第２の切断位置とを設定可能な設定手段と、
を有することを特徴とする。
【手続補正５】
【補正対象書類名】明細書
【補正対象項目名】００１２
【補正方法】変更
【補正の内容】
【００１２】
本発明によれば、ラベルが配された連続シートを切断して排出する記録装置において、ラベルを無駄に消費することなく、特定のラベルをユーザが識別して区分けできるようになる。
【手続補正書】
【提出日】平成27年6月29日(2015.6.29)
【手続補正１】
【補正対象書類名】明細書
【補正対象項目名】０００８
【補正方法】変更
【補正の内容】
【０００８】
上記目的を達成するために、本発明の画像形成装置は、文字属性、所定の文字コード、文字を示すバイト列を含む文字属性設定コマンドを受信する文字属性設定コマンド受信手段と、前記受信された文字属性設定コマンドに含まれる文字を示すバイト列を特定言語に依存しない第１の文字コードに変換する第１の変換手段と、前記受信された文字属性設定コマンドに含まれる所定の文字コードが前記第１の文字コードではない場合、当該所定の文字コードを前記特定言語に依存する第２の文字コードとして保存し、前記変換された文字を示すバイト列を前記第２の文字コードに対応する文字を示すバイト列として保存する文字属性保存手段とを備えることを特徴とする。
【手続補正２】
【補正対象書類名】特許請求の範囲
【補正対象項目名】全文
【補正方法】変更
【補正の内容】
【特許請求の範囲】
【請求項１】
文字属性、所定の文字コード、文字を示すバイト列を含む文字属性設定コマンドを受信する文字属性設定コマンド受信手段と、
前記受信された文字属性設定コマンドに含まれる文字を示すバイト列を特定言語に依存しない第１の文字コードに変換する第１の変換手段と、
前記受信された文字属性設定コマンドに含まれる所定の文字コードが前記第１の文字コードではない場合、当該所定の文字コードを前記特定言語に依存する第２の文字コードとして保存し、前記変換された文字を示すバイト列を前記第２の文字コードに対応する文字を示すバイト列として保存する文字属性保存手段とを備えることを特徴とする画像形成装置。
【請求項２】
文字属性を含む文字属性取得コマンドを受信する文字属性取得コマンド受信手段と、
前記受信された文字属性取得コマンドに含まれる文字属性に対応する前記第２の文字コードを前記文字属性保存手段から取得する文字コード取得手段と、
前記受信された文字属性取得コマンドに含まれる文字属性に対応する、文字を示すバイト列を前記文字属性保存手段から取得し、当該文字を示すバイト列を前記文字コード取得手段により取得された第２の文字コードによって変換する第２の変換手段と、
前記第２の変換手段により変換された文字を示すバイト列と前記文字コード取得手段により取得された第２の文字コードを返信する返信手段とをさらに備えることを特徴とする請求項１記載の画像形成装置。
【請求項３】
表示言語が設定され、
前記特定言語は前記設定された表示言語であることを特徴とする請求項１又は２記載の画像形成装置。
【請求項４】
前記文字属性保存手段は、前記文字属性設定コマンドに含まれる所定の文字コードが前記第１の文字コードである場合、前記設定された表示言語に対応する文字コードを前記第２の文字コードとして保存することを特徴とする請求項３記載の画像形成装置。
【請求項５】
前記文字属性保存手段は、前記文字属性設定コマンドに含まれる所定の文字コードに関わらず、前記設定された表示言語に対応する文字コードを前記第２の文字コードとして保存することを特徴とする請求項３記載の画像形成装置。
【請求項６】
前記文字属性設定コマンドは、前記文字属性に関する設定を行うためのコマンドであることを特徴とする請求項１乃至５のいずれか１項に記載の画像形成装置。
【請求項７】
画像形成装置の制御方法であって、
文字属性、所定の文字コード、文字を示すバイト列を含む文字属性設定コマンドを受信する文字属性設定コマンド受信工程と、
前記受信された文字属性設定コマンドに含まれる文字を示すバイト列を特定言語に依存しない第１の文字コードに変換する第１の変換工程と、
前記受信された文字属性設定コマンドに含まれる所定の文字コードが前記第１の文字コードではない場合、当該所定の文字コードを前記特定言語に依存する第２の文字コードとして保存し、前記変換された文字を示すバイト列を前記第２の文字コードに対応する文字を示すバイト列として保存する文字属性保存工程とを備えることを特徴とする画像形成装置の制御方法。
【請求項８】
画像形成装置の制御方法をコンピュータに実行させるプログラムであって、
画像形成装置の制御方法は、
文字属性、所定の文字コード、文字を示すバイト列を含む文字属性設定コマンドを受信する文字属性設定コマンド受信工程と、
前記受信された文字属性設定コマンドに含まれる文字を示すバイト列を特定言語に依存しない第１の文字コードに変換する第１の変換工程と、
前記受信された文字属性設定コマンドに含まれる所定の文字コードが前記第１の文字コードではない場合、当該所定の文字コードを前記特定言語に依存する第２の文字コードとして保存し、前記変換された文字を示すバイト列を前記第２の文字コードに対応する文字を示すバイト列として保存する文字属性保存工程とを備えることを特徴とするプログラム。
【手続補正書】
【提出日】平成27年6月19日(2015.6.19)
【手続補正１】
【補正対象書類名】特許請求の範囲
【補正対象項目名】請求項１
【補正方法】変更
【補正の内容】
【請求項１】
押出部材と、押出部材を第一の方向に押し出す駆動部とを備え、押出部材が、第一の方向と異なる第二の方向にワークを押し出すワーク押出装置であって、
押出部材が、複数の連結片と、複数の連結片を屈曲可能に連結する伸縮性のある糸状部材とを備え、
押出部材を第二の方向に方向転換させる方向転換部を備えることを特徴とするワーク押出装置。
【手続補正２】
【補正対象書類名】明細書
【補正対象項目名】０００３
【補正方法】変更
【補正の内容】
【０００３】
最も単純で一般的に用いられているワーク押出装置は、図１６に示すように、先端にワーク当接部材８８を設けたロッド８７を有する駆動装置８６を空気圧などの作用により駆動してワーク８５を押し出すものである。ワーク８５をマガジン８４から確実に押し出すため、通常、ロッド８７のストロークはマガジン８４の幅（奥行き）と同程度である。このような従来の押出装置をマガジンと直列配置した場合、マガジン幅の２倍のスペースを占有してしまうという問題がある。そこで、押出装置が占める空間を減らすべく、これまで種々の提案がなされてきた。
【手続補正３】
【補正対象書類名】明細書
【補正対象項目名】００１０
【補正方法】変更
【補正の内容】
【００１０】
第１の発明は、押出部材と、押出部材を第一の方向に押し出す駆動部とを備え、押出部材が、第一の方向と異なる第二の方向にワークを押し出すワーク押出装置であって、押出部材が、複数の連結片と、複数の連結片を屈曲可能に連結する伸縮性のある糸状部材とを備え、押出部材を第二の方向に方向転換させる方向転換部を備えることを特徴とするワーク押出装置である。
第２の発明は、第１の発明において、前記押出部材が、可撓性を有する薄板からなり、連結された複数の連結片の対向する二側面を囲む側面板を備えることを特徴とする。
第３の発明は、第１または２の発明において、前記連結片が、連結方向と同方向に貫通する挿通孔を備え、当該挿通孔に前記糸状部材が挿通されることを特徴とする。
第４の発明は、第１、２または３の発明において、前記連結片が、凸部および凹部を有する板状部材であり、各連結片の凸部が隣接する他の連結片の凹部と係合した状態で連結されることを特徴とする。ここで、板状部材の厚さは、例えば、数ｍｍ〜１０数ｍｍ、好ましくは３ｍｍ〜１０ｍｍとする。
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
眼鏡レンズを保持する一対のレンズチャック軸と、前記レンズチャック軸の片方を他方側であるチャック方向に移動させて眼鏡レンズをチャックするレンズチャックユニットと、を備える眼鏡レンズ加工装置において、
前記レンズチャックユニットは、
第１端部と第２端部とを有する板バネであって、チャック方向に移動される前記レンズチャック軸の後端側に前記第１端部が連結された板バネと、
前記板バネの第１端部と第２端部との間の中点部及び前記第２端部の一方を支点として、前記板バネのバネ力が働く方向であるチャック方向に前記板バネを回転可能に支える回転支持部と、
駆動源を持ち、前記回転支持部によって支持された前記板バネの回転で前記第１端部をチャック方向に移動させるように、前記中点部及び前記第２端部の他方を移動させる移動手段と、
前記板バネのバネ力が働く方向への変形を検出する検出器と、有し、
装置は、前記板バネのバネ力によって所定のチャック圧で眼鏡レンズがチャックされるように、前記検出器の検出結果に基づいて前記駆動源の駆動を制御する制御手段を備えることを特徴とする眼鏡レンズ加工装置。
【請求項２】
請求項１の眼鏡レンズ加工装置において、
前記第１端部、前記中点部及び前記第２端部の１つが前記板バネの長手方向へのスライド移動を不能に連結され、他の２つが前記板バネの長手方向へのスライド移動を可能に連結されていることを特徴とする眼鏡レンズ加工装置。
【請求項３】
請求項１又２の眼鏡レンズ加工装置において、前記制御手段は、前記検出器の検出結果に基づいて所定の第１チャック圧で眼鏡レンズをチャックするように前記移動手段の移動を制御した後、第１チャック圧より大きな所定の第２チャック圧で眼鏡レンズがチャックするように前記移動手段の移動を制御することを特徴とする眼鏡レンズ加工装置。
【手続補正２】
【補正対象書類名】明細書
【補正対象項目名】０００８
【補正方法】変更
【補正の内容】
【０００８】
（１）  眼鏡レンズを保持する一対のレンズチャック軸と、前記レンズチャック軸の片方を他方側であるチャック方向に移動させて眼鏡レンズをチャックするレンズチャックユニットと、を備える眼鏡レンズ加工装置において、前記レンズチャックユニットは、第１端部と第２端部とを有する板バネであって、チャック方向に移動される前記レンズチャック軸の後端側に前記第１端部が連結された板バネと、前記板バネの第１端部と第２端部との間の中点部及び前記第２端部の一方を支点として、前記板バネのバネ力が働く方向であるチャック方向に前記板バネを回転可能に支える回転支持部と、駆動源を持ち、前記回転支持部によって支持された前記板バネの回転で前記第１端部をチャック方向に移動させるように、前記中点部及び前記第２端部の他方を移動させる移動手段と、前記板バネのバネ力が働く方向への変形を検出する検出器と、有し、装置は、前記板バネのバネ力によって所定のチャック圧で眼鏡レンズがチャックされるように、前記検出器の検出結果に基づいて前記駆動源の駆動を制御する制御手段を備えることを特徴とする。
（２）  （１）の眼鏡レンズ加工装置において、前記第１端部、前記中点部及び前記第２端部の１つが前記板バネの長手方向へのスライド移動を不能に連結され、他の２つが前記板バネの長手方向へのスライド移動を可能に連結されていることを特徴とする
（３）  （１）又は（２）の眼鏡レンズ加工装置において、前記制御手段は、前記検出器の検出結果に基づいて所定の第１チャック圧で眼鏡レンズをチャックするように前記移動手段の移動を制御した後、第１チャック圧より大きな所定の第２チャック圧で眼鏡レンズがチャックするように前記移動手段の移動を制御することを特徴とする。
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
生体に埋植される電極を備える生体埋植装置において、
前記電極を、生体適合性と導電性を有し、生体に入射される光束の少なくとも一部を透過する透明性の導電材料で形成することを特徴とする生体埋植装置。
【請求項２】
前記電極に接続される導線と、前記電極及び前記導線が設置される基板とを備え、
前記導線および前記基盤の少なくともいずれかを、生体適合性と導電性を有し，生体に入射される光束の少なくとも一部を透過する前記透明性の材料で形成する請求項１に記載の生体埋植装置。
【請求項３】
生体組織を電気刺激する生体埋植装置の製造方法であって、
透明性の導電材料で，電極と前記電極に接続される導線を形成する第１工程と、
前記第１工程で形成された前記電極の基部及び導線間を透明性の絶縁材料で絶縁し電極基板を形成する第２工程を有することを特徴とする生体埋植装置の製造方法。
【手続補正２】
【補正対象書類名】明細書
【補正対象項目名】０００７
【補正方法】変更
【補正の内容】
【０００７】
（１）  生体に埋植される電極を備える生体埋植装置において、前記電極を、生体適合性と導電性を有し、生体に入射される光束の少なくとも一部を透過する透明性の導電材料で形成することを特徴とする生体埋植装置。
（２）  前記電極に接続される導線と、前記電極及び前記導線が設置される基板とを備え、
前記導線および前記基盤の少なくともいずれかを、生体適合性と導電性を有し，生体に入射される光束の少なくとも一部を透過する前記透明性の材料で形成する（１）に記載の生体埋植装置。
（３）  生体組織を電気刺激する生体埋植装置の製造方法であって、
透明性の導電材料で，電極と前記電極に接続される導線を形成する第１工程と、
前記第１工程で形成された前記電極の基部及び導線間を透明性の絶縁材料で絶縁し電極基板を形成する第２工程を有することを特徴とする生体埋植装置の製造方法。